(57)【要約】【課題】開封時に不要なゴミを発生することがなく、流通過程で邪魔となる突出する蓋の鍔がない不正開封防止鍔付ヒンジキャップを提供する。【解決手段】キャップ本体の後方にヒンジ部を介して蓋が接続するヒンジキャップであって、蓋は、ヒンジ部と対向する前方部の周壁に、上端に横のＶカットヒンジ線を設け、左右に対称な縦の切欠きを設け、下端に横の開封用切欠きを設ける不正開封防止鍔を形成し、不正開封防止鍔の下端内面の所定位置に係着凸部を設け、下方左右両側面を対向する周壁側面と脆弱小ブリッジで接続し、Ｖカットヒンジ線の下方の左右両側近傍位置の外面に縦の切欠きに沿って挟着板をそれぞれに突設し、二つの挟着板とＶカットヒンジ線を介して対称な周壁外面に、挟着板を挟持するための一対の挟持板をそれぞれに設け、キャップ本体は、周壁上面に蓋装着筒を立設し、蓋装着筒の蓋の不正開封防止鍔の係着凸部との対応位置に係止凹部を設ける。【選択図】図１
2005193941.tif 000002
【特許請求の範囲】
【請求項１】
キャップ本体の後方部位置にヒンジ部を介して蓋が開閉可能に接続するヒンジキャップであって、前記蓋は、ヒンジ部と対向する前方部の周壁の所定位置に、上端に横のＶカットヒンジ線を設け、左右に対称な縦の切欠きを設け、下端に横の開封用切欠きを設ける不正開封防止鍔を形成し、該不正開封防止鍔の下端内面の所定位置に係着凸部を設け、下方左右両側面を対向する周壁側面と脆弱小ブリッジで接続し、前記Ｖカットヒンジ線の下方の左右両側近傍位置の外面に前記縦の切欠きに沿って挟着板をそれぞれに突設し、該二つの挟着板と前記Ｖカットヒンジ線を介して対称な前記周壁外面の二つの位置に、前記挟着板を挟持するための一対の挟持板をそれぞれに設け、前記キャップ本体は、周壁上面に蓋装着筒を立設し、該蓋装着筒の前記蓋の不正開封防止鍔の係着凸部との対応位置の外面に係止凹部を設けたことを特徴とする不正開封防止鍔付ヒンジキャップ。
【発明の詳細な説明】
【技術分野】
【０００１】
本発明は、液体、粉体又は固体の内容物を収納する容器の口頸部に装着し、流通過程での不正開封を防止し、開封したときに不要なゴミを発生することがない不正開封防止鍔付ヒンジキャップに関するものである。
【背景技術】
【０００２】
従来、プラスチック製ボトルや硝子瓶などの容器の口頸部に装着する不正開封防止機能付ヒンジキャップ（１０）としては、例えば図３（ａ）及び（ｂ）に示すように、キャップ本体（１００）の後方部にヒンジ部（３００）を介して前方部に開閉用の鍔（２４０）をもつ蓋（２００）を開閉可能に接続し、蓋の鍔を、キャップ本体の前方部周壁（１１０）の上端縁部に周方向へ複数の脆弱小ブリッジ（１４２）で接続する不正開封防止用帯体（１４０）の上端内側に設けられた係止凸部（１４１）で係止したものが知られていた。この不正開封防止機能付ヒンジキャップは、開封するときに、不正開封防止用帯体を外側方向へ引っ張って、キャップ本体に接続する複数の脆弱小ブリッジを破断し、不正開封防止用帯体を取り外して開封するものであり、不正開封防止用帯体の有無又は脆弱小ブリッジの破損により、流通過程で不正開封されたことが判明できるものであった。
【０００３】
また、他の不正開封防止機能付ヒンジキャップ（１０）としては、図４（ａ）又は（ｂ）に示すように、蓋（２００）の前方部の鍔（２４０）の先端下面に、下端内側に係着凸部（２４３）をもつ係止板（２４２）を脆弱ハーフカット線（２４１）（中程まで切れ目を入れる）を介して垂設し、キャップ本体（１００）の周壁（１１０）の前方部所定位置に設けられて係止凸部（１１１）に、係止板の係着凸部をしっかりと係着して係止したものが知られていた。この不正開封防止機能付ヒンジキャップは、開封するときに、鍔と係止板とを接続する脆弱ハーフカット線を引きちぎって開封するものであり、係止板の有無により流通過程で不正開封されたことが判明できるものであった。
【発明の開示】
【発明が解決しようとする課題】
【０００４】
しかしながら、上述した従来の二つの不正開封防止機能付ヒンジキャップにおいては、開封したときに、前者のキャップでは、不正開封防止用帯体が分離して不要なゴミとなり、後者のキャップでは、係止板が分離して不要なゴミとなった。また、二つのキャップとも、蓋の前方部に鍔が大きく出っ張っているため、流通過程において邪魔になることがあった。
【０００５】
本発明は、上述の従来の不正開封防止機能付ヒンジキャップの問題点を解決したものであり、開封したときに、分離した不要なゴミが発生することがなく、また、流通過程において邪魔となる蓋の前方部に大きく出っ張っている鍔がない不正開封防止鍔付ヒンジキャップを提供するものである。
【課題を解決するための手段】
【０００６】
すなわち、本発明は、キャップ本体の後方部位置にヒンジ部を介して蓋が開閉可能に接続するヒンジキャップであって、前記蓋は、ヒンジ部と対向する前方部の周壁の所定位置に、上端に横のＶカットヒンジ線を設け、左右に対称な縦の切欠きを設け、下端に横の開封用切欠きを設ける不正開封防止鍔を形成し、この不正開封防止鍔の下端内面の所定位置に係着凸部を設け、下方左右両側面を対向する周壁側面と脆弱小ブリッジで接続し、前記Ｖカットヒンジ線の下方の左右両側近傍位置の外面に前記縦の切欠きに沿って挟着板をそれぞれに突設し、この二つの挟着板と前記Ｖカットヒンジ線を介して対称な前記周壁外面
の二つの位置に、前記挟着板を挟持するための一対の挟持板をそれぞれに設け、前記キャップ本体は、周壁上面に蓋装着筒を立設し、この蓋装着筒の前記蓋の不正開封防止鍔の係着凸部との対応位置の外面に係止凹部を設けたことを特徴とする不正開封防止鍔付ヒンジキャップである。
【発明の効果】
【０００７】
本発明の不正開封防止鍔付ヒンジキャップは、開封するときには、蓋の前方部の不正開封防止鍔の下端に設けられている開封用切欠きに指又は爪を引っ掛けて不正開封防止鍔を外側へ引き上げて、不正開封防止鍔の内面の係着凸部を蓋の蓋装着筒の外面の係止凹部から外すとともに、不正開封防止鍔の下方左右両側面を周壁側面と接続している脆弱小ブリッジを破断し、不正開封防止鍔をＶカットヒンジ線を支線としてほぼ直角に折り曲げて、不正開封防止鍔の外面に設けられている二つの係着凸部を周壁外面に設けられている二組の一対の挟持板にそれぞれ係着して開封するものである。このため、従来の不正開封防止機能付ヒンジキャップとは異なり、開封したときに、分離した不要なゴミを発生することがない。
【０００８】
また、本発明の不正開封防止鍔付ヒンジキャップは、開封されるまでは、鍔が周壁と同一の垂直面上にあり、従来の不正開封防止機能付ヒンジキャップのように、鍔が蓋の前方部に大きく出っ張っていないため、流通過程において鍔が邪魔となることがない。
【０００９】
また、本発明の不正開封防止鍔付ヒンジキャップは、開封したときに、必ず不正開封防止鍔の下方左右両側面と周壁側面とを接続している脆弱小ブリッジを破断されるため、この脆弱小ブリッジの破断の有無により、流通過程において不正開封されたことが明確に判明される。
【発明を実施するための最良の形態】
【００１０】
次に、本発明の不正開封防止鍔付ヒンジキャップの一実施形態について、図を用いて詳細に説明する。
【００１１】
図１（ａ）は、本実施形態の不正開封防止鍔付ヒンジキャップの未開封のときの一部を切り欠いた側面図であり、図１（ｂ）は、その正面図である。図２は、図１に示す本実施形態の不正開封防止鍔付ヒンジキャップを開封したときの一部を切り欠いた側面図であり、図２（ｂ）は、その正面図である。
【００１２】
本実施形態の不正開封防止鍔付ヒンジキャップ（１０）は、図１に示すように、キャップ本体（１００）の後方部位置にヒンジ部（３００）を介して蓋（２００）が開閉可能に接続するものであり、ヒンジ特性を有するポリプロピレンなどの熱可塑性樹脂を用いて、射出成形法によりキャップ本体とヒンジ部と蓋とを一体に成形するものである。
【００１３】
本実施形態の蓋（２００）の構造は、図１（ａ）に示すように、天板（２１０）と周壁（２２０）とからなり、天板の下面には、キャップ本体（１００）の注出筒（１３０）を封止するためのインナー封止リング（２１１）（外周面を注出筒の口部内周面に密着）が垂設されている。ヒンジ部（３００）と対向する前方部の周壁（２２０）の所定位置には、図１（ａ）及び（ｂ）に示すように、上端に横のＶカットヒンジ線（２３１）を設け、左右に対称な縦の切欠き（２２１ａ，２２１ｂ）を設け、下端に横の開封用切欠き（２２２）を設ける不正開封防止鍔（２３０）が形成されている。この不正開封防止鍔の下端内面の所定位置に係着凸部（２３３）が設けられ、下方左右両側面を対向する周壁側面と脆弱小ブリッジ（２２３ａ，２２３ｂ）で接続し、Ｖカットヒンジ線（２３１）の下方の左右両側近傍位置の外面に縦の切欠き（２２１ａ，２２１ｂ）に沿って直角三角形状の挟着板（２３２ａ，２３２ｂ）をそれぞれに突設し、この二つの挟着板とＶカットヒンジ線（
２３１）を介して対称な周壁外面の二つの位置に、挟着板を挟持するための一対の挟持板（２２４ａ，２２４ｂ）をそれぞれに設けるものである。
【００１４】
そして、本実施形態のキャップ本体（１００）の構造は、図１（ａ）に示すように、周壁（１１０）上面に蓋装着筒（１２０）を立設し、この蓋装着筒の蓋（２００）の不正開封防止鍔（２３０）の係着凸部（２３３）との対応位置の外面に、不正開封防止鍔の係着凸部をしっかりと係止する係止凹部（１２１）を設け、上面に注出筒（１３０）を立設するものである。なお、キャップ本体の周壁内周面には、容器の口頸部に装着するための螺合部又は咬合部を設けるものであり、また、容器の使用目的に応じて、周壁内側にプルリングで開口する封鎖板を設けてもよい。
【００１５】
本実施形態の不正開封防止鍔付ヒンジキャップは、蓋を後方のヒンジ部を支線として前方へ回動して閉じると、図１（ａ）に示すように、前方の不正開封防止鍔（２３０）の下端内面の係着凸部（２３３）が、キャップ本体（１００）の蓋装着筒（１２０）の前方外面に設けられている係止凹部（１２１）にしっかりと係着して係止するものである。この本実施形態の不正開封防止鍔付ヒンジキャップは、周壁面に出っ張っているものは、周壁の二組の一対の挟持板と不正開封防止鍔の挟着板とヒンジ部であり、従来の不正開封防止機能付ヒンジキャップの鍔のような大きな出っ張りはない。
【００１６】
そして、本実施形態の不正開封防止鍔付ヒンジキャップを開封するときは、蓋の前方部に設けられている不正開封防止鍔の下端に指又は爪を引っ掛けて不正開封防止鍔を外側へ引き上げ、図２（ａ）及び（ｂ）に示すように、不正開封防止鍔（２３０）の内面の係着凸部（２３３）をキャップ本体（１００）の蓋装着筒（１２０）の外面の係止凹部（１２１）から外すと共に、不正開封防止鍔の下方左右両側面を周壁側面と接続している脆弱小ブリッジを破断して、不正開封防止鍔をＶカットヒンジ線（２３１）を支線としてほぼ直角に折り曲げると、不正開封防止鍔の外面の二つの係着凸部（２３２ａ，２３２ｂ）が、周壁（２２０）外面の二組の一対の挟持板（２２４ａ，２２４ｂ）にそれぞれ係着してキャップが開封する。開封後は、図２（ａ）に示すように、不正開封防止鍔（２３０）が蓋（２００）の周壁（２２０）に直角に出っ張っており、この出っ張った不正開封防止鍔により蓋の開閉が容易となる。なお、本実施形態の不正開封防止鍔付ヒンジキャップは、開封したときに、分離するゴミの発生が全くない。
【図面の簡単な説明】
【００１７】
【図１】（ａ）は、一実施形態の不正開封防止鍔付ヒンジキャップの未開封のときの一部を切り欠いた側面図であり、（ｂ）は、その正面図である。
【図２】図１に示す不正開封防止鍔付ヒンジキャップを開封したときの一部を切り欠いた側面図であり、（ｂ）は、その正面図である。
【図３】従来の一例の不正開封防止付ヒンジキャップの未開封のときの平面図であり、（ｂ）は、その側面図である。
【図４】従来の他の一例の不正開封防止付ヒンジキャップの未開封のときの平面図であり、（ｂ）は、その側面図である。
【符号の説明】
【００１８】
１０……ヒンジキャップ
１００……キャップ本体
１１０……周壁
１１１，１４１……係止凸部
１２０……蓋装着筒
１２１……係止凹部
１３０……注出筒
１４０……不正開封防止用帯体
１４２，２２３ａ，２２３ｂ……脆弱小ブリッジ
２００……蓋
２１０……天板
２１１……インナー封止リング
２２０……周壁
２２１ａ，２２１ｂ……縦の切欠き
２２２……開封用切欠き
２２４ａ，２２４ｂ……一対の挟持板
２３０……不正開封防止鍔
２３１……Ｖカットヒンジ線
２３２ａ，２３２ｂ……挟着板
２３３，２４３……係着凸部
２４０……鍔
２４１……切断用ハーフカット線
２４２……係止板
３００……ヒンジ部
【図１】
2005193941.tif 000003
【図２】
2005193941.tif 000004
【図３】
2005193941.tif 000005
【図４】
2005193941.tif 000006